(57)【特許請求の範囲】
【請求項１】
固体撮像素子によって撮像し、光電変換してアナログ画像データを得る撮像部と、前記アナログ画像データをアナログ−デジタル変換してデジタル画像データを作成し記録媒体に記録するデジタル画像データ記録部と、で構成された撮像装置であって、
前記デジタル画像データを記録媒体に記録する際に、当該デジタル画像データ毎に特定の情報を電子透かしで埋め込む電子透かし情報埋込手段と、
前記電子透かし情報埋込手段で埋め込まれた電子透かし情報の外部制御装置での閲覧可否に関する固有の暗号キーが予め記憶された記憶手段と、
前記撮像部で撮像された画像毎に前記暗号キーを用いて前記電子透かし情報の閲覧を不可設定する暗号化手段と、
所定の条件が成立した場合に、外部画像処理装置側からの指示によって前記記憶手段に記憶され復号に必要な前記暗号キーを送出する送出手段とを有し、
前記暗号キーが、固体撮像素子の出荷時における不良画素を特定し、当該不良画素を補正するための補正情報であり、
前記撮像部、前記デジタル画像データ記録部、前記電子透かし情報埋込手段、前記記憶手段、前記暗号化手段、前記送出手段は、単一の筐体内に設けられていることを特徴とする撮像装置。
【請求項２】
前記所定の条件が、前記撮像装置と外部画像処理装置との接続、或いは前記デジタル画像データが記録された記録媒体の外部画像処理装置の所定装填口への装填であることを特徴とする請求項1記載の撮像装置。
【請求項３】
撮像装置と、外部画像処理装置との間での画像受渡方法であって、
前記撮像装置側で撮像した画像データに、前記撮像装置内でそれぞれ電子透かし情報を埋め込み、
当該埋め込まれた電子透かし情報に対して、前記撮像装置内で当該撮像装置固有の固体撮像素子の出荷時における不良画素を特定し、当該不良画素を補正するための補正情報である暗号キーによって暗号化を施し、かつ前記暗号キーを記憶しておき、
前記暗号化した撮像装置又は当該撮像装置に装填されていた記録媒体が電気的に接続されていることを条件として、
前記外部画像処理装置からの指示で前記暗号キーを取得して復号することで、前記電子透かし情報を外部画像処理装置で閲覧可能とする、
ことを特徴とする画像データ受渡方法。
【発明の詳細な説明】
【０００１】
【発明の属する技術分野】
本発明は、固体撮像素子によって撮像し、光電変換してアナログ画像データを得る撮像部と、前記アナログ画像データをアナログ−デジタル変換してデジタル画像データを作成し記録媒体に記録するデジタル画像データ記録部と、で構成された撮像装置、並びに撮像装置と、外部画像処理装置との間での画像データ受渡方法に関するものである。
【０００２】
【従来の技術】
従来、撮像装置、特にデジタルカメラでは、ＣＣＤ（Charge Coupled Device）を用い、静止画等を撮影すると、その画像データはアナログ−デジタル変換された後、予め設定された圧縮形式（例えば、ＪＰＥＧ）によって圧縮した状態でメモリカード等の記録媒体に記録して保存する。
【０００３】
デジタルカメラでは、記録媒体に記録された画像を当該デジタルカメラの背面等に設けられたＬＣＤ（液晶表示装置）に再生する再生機能を持っており、撮像した画像をその場で確認が可能である。
【０００４】
一方、デジタルカメラには、ＵＳＢ端子等のパーソナルコンピュータ（ＰＣ）との接続インターフェースを備えており、ＰＣにインストールされた画像処理アプリケーションによってデジタルカメラの記録媒体に記録されたデジタル画像データを取り込み、ＰＣ上で再生表示したり、画像編集等を行なうことも可能である。なお、デジタルカメラ自体をＰＣに接続せず、記録媒体のみを取り出して、ＰＣ側の専用スロットに装填することでも同様の機能を持たせることができる。
【０００５】
上記システムでは、撮像した画像に対して何ら制限がなく、万人に対して閲覧可能であり、かつ編集可能である。ところが、撮像した画像の中には、著作権を持つ画像がある。この著作権で保護されている画像に関しては、当然ながら盗用や改ざん等は禁止されているが、特に改ざんされた場合、基の画像が著作権で保護されている画像であったか否かを判断するのが難しい。
【０００６】
そこで、従来は、撮影時の距離情報を各画像データにキーとして埋め込み、改ざんを防止することが提案されている（一例として、特開平１１−１６４２４６号公報参照（以下、先行技術１という）。
【０００７】
また、特開２０００−８６４４９公報（以下、先行技術２という）では、電子透かしによって情報を埋め込むことが開示されている。
【０００８】
上記先行技術１及び先行技術２とを組み合わせ、画像データ固有の情報として著作権情報を電子透かしで埋め込むことで、各画像データ毎に改ざん防止を行うことができる。また、この著作権等の電子透かし情報を暗号化し、暗号キーを用いないと編集等ができないように工夫されている（一例として特開２０００−３１５９９８公報参照（以下先行技術３という））。
【０００９】
【発明が解決しようとする課題】
しかしながら、上記先行技術１及び先行技術２では、距離情報が画像データ固有の情報とならなない場合がある。すなわち、距離情報では、別の画像データに埋め込む情報と偶然一致する確率が高く、画像データ単位で著作権を管理することができない。また、ＰＣ側で電子透かし情報を読み出すことも比較的容易であり、電子透かし情報そのものを改ざんから守るようにはなっていない。
【００１０】
さらに、著作権等の情報を電子透かし情報として埋め込む場合、デジタルカメラから読み出される画像に関しては、セキュリティーの対象となっておらず、デジタルカメラからＰＣへ画像データを転送する際のセキュリティーの解決には至っていない。
【００１１】
また、上記先行技術３では、撮影以外に電子透かし情報を暗号化するという作業を別途行ない、暗号キーを設定する必要がある。さらに、画像暗号化した後は、暗号キーを暗記したり、書きとめたり、他人に見られないようにしたり、といった管理が必要となり煩雑である。
【００１２】
本発明は上記事実を考慮し、撮像直後に画像データに電子透かし情報を埋め込み、かつ暗号化を施すことで、電子透かし情報に対して、読出し、改ざん等が行なえる余地を確実に排除することができ、かつ暗号化の作業を簡略化することができる撮像装置及び画像データ受渡方法を得ることが目的である。
【００１３】
【課題を解決するための手段】
請求項１に記載の発明は、固体撮像素子によって撮像し、光電変換してアナログ画像データを得る撮像部と、前記アナログ画像データをアナログ−デジタル変換してデジタル画像データを作成し記録媒体に記録するデジタル画像データ記録部と、で構成された撮像装置であって、前記デジタル画像データを記録媒体に記録する際に、当該デジタル画像データ毎に特定の情報を電子透かしで埋め込む電子透かし情報埋込手段と、前記電子透かし情報埋込手段で埋め込まれた電子透かし情報の外部制御装置での閲覧可否に関する固有の暗号キーが予め記憶された記憶手段と、前記撮像部で撮像された画像毎に前記暗号キーを用いて前記電子透かし情報の閲覧を不可設定する暗号化手段と、所定の条件が成立した場合に、外部画像処理装置側からの指示によって前記記憶手段に記憶され復号に必要な前記暗号キーを送出する送出手段とを有し、前記暗号キーが、固体撮像素子の出荷時における不良画素を特定し、当該不良画素を補正するための補正情報であり、前記撮像部、前記デジタル画像データ記録部、前記電子透かし情報埋込手段、前記記憶手段、前記暗号化手段、前記送出手段は、単一の筐体内に設けられていることを特徴としている。
【００１４】
請求項１記載の発明によれば、記憶手段には、予め暗号キーが記憶されている。この暗号キーは、撮像部で撮像し記録媒体に記録されたデジタル画像データに埋め込まれた電子透かし情報を外部制御装置での閲覧の可否を設定するものであり、暗号付与手段では、撮像されると直ちにデジタル画像データに埋め込まれた電子透かし情報を暗号化する。
【００１５】
また、この画像データを取り込み、閲覧する外部画像処理装置側から暗号キーの要求指示があると、所定の条件が成立している場合に限り、送出手段では暗号化を解除するための暗号キーを外部画像処理装置側へ送出する。
【００１６】
すなわち、単一の撮像装置内で撮像直後から画像データに埋め込まれた電子透かし情報を暗号化することができ、所定条件の成立下で、自動的に外部画像処理装置側で画像データの暗号化を解除するための暗号キーを撮像装置側から受取り、暗号化を解除することができるため、暗号解除のための作業が不要となり、電子透かし情報の閲覧が可能となる。
【００１７】
従って、例えば電子透かし情報として著作権を保護するための情報を埋め込んでおくことで、画像自体の閲覧、或いはその編集がなされても、電子透かし情報を改ざんすることはできず、基の画像の著作権を保護することができる。
【００１８】
また、暗号キーとして、撮像装置特有とする必要があり、例えば、出荷の際に新たに識別符号等を付与することも考えられるが、既存の識別符号になり得る対象として、補正情報がある。この補正情報は、撮像部に設けられる固体撮像素子の不良画素を予め出荷前に特定しておき、不良画素のデータを例えば周囲の画素のデータから補間するために用いられるものである。このような不良画素は、例えば、５００万画素の固体撮像素子を持つ撮像装置において、それぞれ１ヶ所を選択すると、一致するのは１／５００万の確率となる。２ヶ所であれば１／（５００万×５００万）となり、固有の情報とすることができる。暗号キーを暗記したり、書きとめたり、或いは他人に見られないようにするといった管理が不要となる。
【００１９】
請求項２に記載の発明は、前記請求項１に記載の発明において、前記所定の条件が、前記撮像装置と外部画像処理装置との接続、或いは前記デジタル画像データが記録された記録媒体の外部画像処理装置の所定装填口への装填であることを特徴としている。
【００２０】
請求項２に記載の発明によれば、所定の条件とは、画像を撮像した撮像装置と、外部画像処理装置とが接続（電気的接続）された場合、或いは、記録媒体を撮像装置から取外し、外部画像処理装置の所定の装填口へ装填した場合、の何れかである。これにより、撮像装置或いは記録媒体のみがあり、暗号化を取得して復号する機能（アプリケーション）を有しない外部画像処理装置と接続した場合には、暗号化が解除できず、画像の閲覧ができない。
【００２３】
請求項３に記載の発明は、撮像装置と、外部画像処理装置との間での画像受渡方法であって、前記撮像装置側で撮像した画像データに、前記撮像装置内でそれぞれ電子透かし情報を埋め込み、当該埋め込まれた電子透かし情報に対して、前記撮像装置内で当該撮像装置固有の固体撮像素子の出荷時における不良画素を特定し、当該不良画素を補正するための補正情報である暗号キーによって暗号化を施し、かつ前記暗号キーを記憶しておき、前記暗号化した撮像装置又は当該撮像装置に装填されていた記録媒体が電気的に接続されていることを条件として、前記外部画像処理装置からの指示で前記暗号キーを取得して復号することで、前記電子透かし情報を外部画像処理装置で閲覧可能とする、ことを特徴としている。
【００２４】
請求項３に記載の発明によれば、撮像装置で撮像が終了すると、単一の撮像装置内で画像データに埋め込まれた電子透かし情報に対して撮像装置固有の暗号キーを用いて暗号化を施す。これにより、撮像されて外部に出力される前に暗号化を完了することになる。
【００２５】
この暗号キーは記憶し、撮像装置自体が外部画像処理装置に電気的に接続されているか、或いは撮像装置に着脱可能に装填され画像データが記録された記録媒体を取外し外部画像処理装置側の所定のスロットに装填し直され、電気的に接続状態となっていることを条件とし、外部画像処理装置側から撮像装置へ暗号キーを要求指示する。これにより、撮像装置側から暗号キーが外部画像処理装置側へ受け渡され、暗号化された電子透かし情報を復号することができ、外部画像処理装置において、当該電子透かし情報の閲覧が可能となる。言い換えれば、通常は画像事態の閲覧や編集は可能であるが、電子透かし情報として、例えば著作権を保護する情報を埋め込んでおけば、この電子透かし情報は改ざんすることができないため、基の画像を保護することができる。例えば、基の画像を盗用した画像で新たなに不正に利益を得ようとしても、その盗用した画像には電子透かし情報が残されているため、不正を確実に発覚することができる。
【００２６】
【発明の実施の形態】
図１に本実施の形態に係るデジタルカメラ１０における制御系が示されている。デジタルカメラ１０には、撮像部１８が配設されている。撮像部１８は、レンズ１８Ａ、メカニカル・シャッタ及び絞り（図示省略）が配設され、レンズ１８Ａから入射した光を、メカニカル・シャッタが開放しているときに、絞りを介して、ＣＣＤ１８Ｂに入射させる構成である。
【００２７】
また、デジタルカメラ１０にはストロボ１２が設けられ、必要に応じて、ストロボ制御部１４の制御により、手動又は自動で発光するようになっている。
【００２８】
デジタルカメラ１０の前記撮像部１８、ストロボ制御部１４を含む各制御デバイスは、バス１６によって接続され、ＣＰＵ２０によってその動作が制御されるようになっている。各制御デバイスは、バッテリ２２からの電源が供給され、動作可能となっている。
【００２９】
バス１６には、制御デバイスとして、システムメモリ（ＲＡＭやＲＯＭ）２４、不揮発性メモリ２６、タイマ機能部２８、カレンダ／時計機能部３０がそれぞれ接続されている。
【００３０】
また、バス１６には、Ｉ／Ｏポート３２が接続され、このＩ／Ｏポート３２には、デジタルカメラ１０の筐体３４（図２参照）に取り付けられる操作・表示系３６からの信号の入出力がなされる。
【００３１】
図２（Ａ）に示される如く、デジタルカメラ１０の筐体３４の裏面側（前記撮像部１８が配設された側とは反対側）には、液晶モニタ（ＬＣＤ）３８が配設されている。
【００３２】
また、操作・表示系として、筐体３４の裏面側におけるＬＣＤ３８の右側には、前記ＬＣＤ３８上に表示される画像のコマ切り替え、項目選択等に適用される円形の上下左右キー４２が配設されている。この円形の上下左右キー４２の軸線を上下左右に傾斜することで、それぞれに傾斜させたときに異なるスイッチの接点が切り替わり、当該切り替え信号が前記Ｉ／Ｏ３２（図１参照）に入力されるようになっている。
【００３３】
この上下左右キー４２の下部には、縦方向に上からメニューボタン４４、実行ボタン４６、取消ボタン４８が配列されている。また、筐体３４の上面には、レリーズボタン５０とモード設定ダイヤル５２とが設けられている。
【００３４】
モード設定ダイヤル５２とメニューボタン４４とが操作されると、ＬＣＤ３８上には、例えば、各種設定を行うためのセットアップ画面が表示されるようになっている。
【００３５】
実行ボタン４６は、上記セットアップ画面上で、前記上下左右キー４２による機能選択後の決定時に操作され、取消ボタン４８は、当該決定した機能のキャンセルの際に操作される。
【００３６】
また、図２（Ｂ）に示される如く、デジタルカメラ１０の筐体３４の前面には、前記撮像部１８のレンズ１８Ａが露出可能な開口部６０が設けられている。この開口部６０には、円板状のシャッター６２が取り付けられている。このシャッター６２は、デジタルカメラ１０の電源スイッチ６４（図２（Ａ）参照）の動作に連動して、前記開口部６０を閉止する位置並びに開口する位置に移動可能（図２（Ｂ）の矢印Ａ参照）な駆動系を備えている。
【００３７】
すなわち、電源がオフの状態では、シャッター６２は開口部６０を閉止することで、レンズ１８Ａを保護し、電源がオンの状態では、シャッター６２を開口部６０から退避させることで、撮影可能な状態とすることができるようになっている。
【００３８】
図１に示される如く、バス１６には、カードＩ／Ｆ５６を介して、記録媒体としてのメモリカード５８が着脱可能なメモリカードスロット６０が接続されている。前記撮像部１８で撮影された画像データは、このメモリカードスロット６０に装填されたメモリカード５８に記録されることになる。
【００３９】
前記撮像部１８に入力された信号は、信号処理部１０４に送出され、ノイズ低減処理が施されると共に、ゲインコントロールがなされ、Ａ／Ｄ変換部１０６へ送出される。
【００４０】
Ａ／Ｄ変換部１０６でＡ／Ｄ変換された画像データは、ＣＰＵ２０からの指示に応じて、圧縮／伸長部１０８へ送られて圧縮処理（ＪＰＥＧ）がなされるか或いはそのまままの状態でカードＩ／Ｆ５６を介してメモリカードスロット６０へ送られるようになっている。
【００４１】
メモリカード５８に記録された画像データは、ＣＰＵ２０からの再生表示指示に基づいて読み出され、フレームメモリ１１０に格納され、ＬＣＤ制御部１１２の制御により、ＬＣＤ１２に表示される。なお、このとき、ＬＣＤ１１２には、ＯＳＤ（オンスクリーンディスプレイ部１１４によって制御される、当該画像データに基づく画像表示と共に文字やキャラクタデータ等が重ねて表示されるようになっている。
【００４２】
なお、バス１６には、外部Ｉ／Ｆ１１６が接続され、コネクタ１１８を介してパソコン等の外部制御装置（以下ＰＣ１２０という）と直接接続することが可能となっており、このＰＣ１２０に前記メモリカード５８に記録した画像データを伝送することができるようになっている。
【００４３】
なお、デジタルカメラ１０には、画像確認のためののモニタとして、ＬＣＤ１１２とは別に光学ファインダー６６を備えている。
【００４４】
ここで、デジタルカメラ１０では、撮影が終了し、メモリカード５８に記録された画像データは、デジタルカメラ１０の再生機能によって、ＬＣＤ３８に表示することが可能となっている。
【００４５】
この再生機能は、図２に示すモード設定ダイヤル５２を操作することで、撮影モードから再生モードに切り替えることで実行される。
【００４６】
再生モードとなると、通常は撮影記録順、すなわち、昇順再生が自動的に開始され、図２に示す上下左右キー４２の左右矢印部分を操作する毎に再生指示コマ番号をインクリメント又はデクリメントすることができる。例えば、現在ＬＣＤに表示されているコマ番号がＮｏ．ｎであると、上下左右キー４２の左矢印部分を押圧操作するとｎ−１コマ目が表示され、右矢印部分を押圧操作すると、ｎ＋１コマ目が表示される。
【００４７】
ここで、本実施の形態では、上記のようにメモリカード５８に画像を記録する際に、画像データに電子透かし情報付与部１５１において電子透かし情報を埋め込み、かつ、暗号化・復号化処理部１５０によって、電子透かし情報を暗号化処理した後に記録するようになっている。この場合、画像をＬＣＤ３８に表示（再生）する際には、メモリカード５８から読み出された暗号化された画像データを再度暗号化・復号化処理部１５０によって復号化することで、ＬＣＤ３８への電子透かし情報の再生表示は可能である。電子透かし情報の表示・非表示は、予めモード設定により設定しておけばよい。
【００４８】
一方、図３に示される如く、外部通信Ｉ／Ｆ１１、並びにコネクタ１１８に接続されたケーブル１５２を介してＰＣ１２０へ画像を送出する場合は、暗号化された電子透かし情報が送出されるため、この暗号化された電子透かし情報を復号化するための暗号キーを持たないＰＣ１２０では、当該画像データに基づく画像を閲覧することができても、電子透かし情報は閲覧することができないようになっている。
【００４９】
図４には、電子透かし情報付与部１５１並びに暗号化・復号化処理部１５０の詳細を示す機能ブロック図が示されている。
【００５０】
電子透かし情報付与部１５１には、画像データ入出力部１７０が設けられ、バス１６に接続されている。このため、バス１６からは撮像され、圧縮処理が施された画像データが入力するようになっている。
【００５１】
画像データ入出力部１７０に入力された画像データは、電子透かし埋め込み部１７２に送出されるようになっている。この電子透かし埋め込み部１７２には、本実施の形態の電子透かし情報である著作権情報が記憶された著作権情報メモリ１７４が接続されている。
【００５２】
すなわち、電子透かし埋め込み部１７２では、画像データに著作権情報が電子透かし情報として埋め込まれ、この電子透かし情報が埋め込まれた画像データは画像データ入出力部１７０に戻されるようになっている。電子透かし情報が埋め込まれた画像データは、バス１６を介して暗号化・復号化処理部１５０へ送出されるようになっている。
【００５３】
暗号化・復号化処理部１５０では、バス１６に画像データ入出力部１５４が接続されており、前記撮像後の画像データ又はメモリカード５８に記録された画像データはこの画像データ入出力部１５５４に入力されるようになっている。
【００５４】
入力された画像データは、画像データ入出力部１５４から画像データ状態判別部１５６へ送出され、撮像後であり暗号化されていない電子透かし情報が埋め込まれた画像データであるか（非暗号化状態）、メモリカード５８に記録され既に電子透かし情報が暗号化された画像データあるか（暗号化状態）の判別がなされる。
【００５５】
非暗号化状態の画像データは、暗号化部１５８へ送出され、予め暗号キーが記憶された暗号キーメモリ１６０から暗号キーを読み出し、この暗号キーに基づいて電子透かし情報が暗号化され、画像データ入出力部１５４へ戻されるようになっている。
【００５６】
上記系統で画像データ入出力部１５４に戻された暗号化された電子透かし情報が埋め込まれた画像データは、バス１６を介してメモリカード５８へ記憶されることになる。
【００５７】
ここで、暗号キーとしては、デジタルカメラ１０固有の情報であることが条件であり、本実施の形態では、ＣＣＤ１８Ｂの不良画素を特定する補正情報が適用されている。この補正情報は、数百万画素で構成されるＣＣＤ１８Ｂの中の、出荷段階で光に反応しないような不良画素を予め検査し特定しておくことで、実際の撮像時には、この不良画素を周囲の画素の読取データに基づいて補間して、見掛け上のデータを作成するための情報であり、確率的にもデジタルカメラ１０の固有の情報として適用可能なものである。
【００５８】
一方、暗号化状態の画像データが入出力部１５４へ入力されると、この画像データは、画像データ状態判別部１５６によって復号化部１６２へ送出され、前記暗号キーメモリ１６０から暗号キーを読み出し、この暗号キーに基づいて電子透かし情報の復号化され、画像データ入出力部１５４へ戻されるようになっている。
【００５９】
上記系統で画像データ入出力部１５４に戻された電子透かし情報が復号化された画像データはバス１６を介してフレームメモリ１１０へ送られ、ＬＣＤ制御部１１２によってＬＣＤ３８へ表示されるようになっている。なお、前述のように、モード設定において、電子透かし情報の表示が不要の場合には、画像データは暗号化・復号化処理部１５０を経由する必要がない。
【００６０】
一方、前記暗号キーメモリ１６０は、暗号キー読出部１６４に接続されている。この暗号キー読出部１６４は、前記ＰＣ１２０等の外部ビュワーから所定の暗号キー要求信号が入力したときに、この暗号キー要求信号が予めデジタルカメラ１０側で設定した要求信号と一致したときのみ暗号キーを読出し、例えばＵＳＢ端子（図示省略）を介してＰＣ１２０へ暗号キーを送出することができるようになっている。
【００６１】
すなわち、予め閲覧を許可するＰＣ１２０には、暗号キーを取得するための要求を行うアプリケーションを組み込んでおき、当該デジタルカメラ１０で撮像した画像データに暗号化されて埋め込まれている電子透かし情報を閲覧するときには、自動的に暗号キー要求信号がデジタルカメラ１０へ送出されるようになっている。これにより、特定のＰＣ１２０では、暗号化された電子透かし情報がが自動的に暗号解除されるため、オペレータによる復号化処理等の作業を省いて閲覧が可能となり、それ以外のＰＣでは、暗号化された電子透かし情報の閲覧が不可能という、セキュリティーと、作業の簡便化との両立を図ることができるようになっている。
【００６２】
以下に本実施の形態の作用を説明する。
【００６３】
デジタルカメラ１０で撮影を行なう前に、モード設定ダイヤル５２を操作してセットアップ画面をＬＣＤ３８に表示する。
【００６４】
セットアップ画面により、記録モード、画素数、シャープネス、ビープ音等の項目を必要に応じて選択し、撮影の条件を設定する。
【００６５】
撮影モードでは、ＬＣＤ３８上に撮像部１８で撮影されているプレビューが表示され、所定の画角が決まるとレリーズボタン５０が操作され、撮影が実行される。
【００６６】
この場合、撮像部１８で撮像されたデータは、信号処理部１０４へ送出され、ノイズ低減処理、ゲインコントロール等の処理がなされた後、Ａ／Ｄ変換されて、デジタル画像データを生成する。
【００６７】
その後、圧縮／伸長部１０８において、デジタル画像データを圧縮し、電子透かし情報付与部１５１により、電子透かし情報としての著作権情報が埋め込まれ、さらに暗号化・復号化処理部１５０によって所定の暗号キーで電子透かし情報が暗号化された後メモリカード５８に記録する。
【００６８】
再生モードでは、インデックスモードが選択された場合は、メモリカード５８に記録されたデジタル画像データからサムネイル画像が読み出され、ＬＣＤ上にインデックス画像として、マトリクス状に撮影済の画像が表示される。
【００６９】
また、１画像再生モードが選択された場合には、メモリカード５８から圧縮された画像データが読み出され、圧縮／伸長部１０８において伸長され、フレームメモリ１１０に展開した後に、ＬＣＤ３８に表示される。なお、このとき、モード設定で、電子透かし情報の表示が指定されている場合には、暗号化・復号化処理部１５０で電子透かし情報が復号化された後、ＬＣＤ３８に表示される。
【００７０】
上記はデジタルカメラ１０の内部での画像データの流れを示しており、電子透かし情報が暗号化された画像データは、自動的に復号化されてＬＣＤ３８に表示されるため、使用者は何ら違和感なく再生モードを利用することができる。しかし、このデジタルカメラ１０をＰＣ１２０に接続し、デジタルカメラ１０から画像データを読み出してＰＣ１２０上で閲覧する場合、メモリカード５８に記録された画像データは電子透かし情報が暗号化されたままの状態でＰＣ１２０へ送出される。このため、ＰＣ１２０では、暗号キーを取得しなければこの画像データに基づく電子透かし情報の閲覧ができない。これにより、画像データの転用、改ざん等がなされても著作権を保護する情報は永久的に残されるため、基の画像に対する著作権の有無をいつでも確認することができる。また、特定のデジタルカメラ１０とＰＣ１２０との接続である場合に限り、画像データに基づく電子透かし情報の閲覧が可能となる。
【００７１】
以下、図５のフローチャートに従い、デジタルカメラ１０とＰＣ１２０とが接続された状態で、画像データに基づく画像に埋め込まれた電子透かし情報の閲覧の可否に関する流れを説明する。なお、ＰＣ１２０には、デジタルカメラ１０から必要な画像データが既に取り込まれ、閲覧用のビュワーソフトが立ち上げれていることを前提とする。
【００７２】
ステップ２００では、ユーザーが例えば、インデックス表示されているサムネイル画像から閲覧したい画像を選択する。次のステップ２０２では、選択された画像データに対して電子透かし情報の確認が必要か否かが判断される。これは、ユーザーによるキー操作等によってなされる。このステップ２０２で電子透かし情報の確認が不要と判断された場合には、ステップ２０４へ移行して画像のみの表示処理が実行される。
【００７３】
また、ステップ２０２で電子透かし情報の確認が必要と判断された場合には、ステップ２０６へ移行して、接続されているデジタルカメラ１０から暗号キーを取得するべく、デジタルカメラ１０へ暗号キー要求信号を送出する。この暗号キー要求信号の送出により、デジタルカメラ１０では、選択された画像データが当該デジタルカメラ１０で撮像したものである場合は、この暗号キー要求信号に応じて暗号キーをＰＣ１２０へ送出する。
【００７４】
ステップ２０８では、暗号キーを受け取ったか否かが判断され、否定判定されると接続されているデジタルカメラ１０が当該画像を撮像したデジタルカメラとは異なると判断され、ステップ２０４へ移行して画像のみ表示処理が実行される。
【００７５】
また、ステップ２０８で肯定判定されると、ステップ２１０へ移行して電子透かし情報が復号化され、次いでステップ２１２で電子透かし情報を付加した画像の表示処理が実行される。
【００７６】
以上説明したように、本実施の形態では、撮像した画像データに電子透かし情報として著作権情報を埋め込み、暗号キーであるデジタルカメラ固有の情報として、不良画素を特定する補正情報を適用して、当該電子透かし情報を暗号化すると共に、選択された画像データが生成されたデジタルカメラ１０がＰＣ１２０と接続されていない限り、当該画像データに埋め込まれた電子透かし情報の閲覧ができないようにした。一方、選択された画像データが生成されたデジタルカメラ１０がＰＣ１２０と接続されている場合には、自動的に暗号化された電子透かし情報を復号化して、閲覧可能とするようにしたため、著作権者並びにその関係者による著作権の確認、不正使用による摘発、並びに操作性の向上とを両立させることができる。
【００７７】
なお、本実施の形態では、デジタルカメラ１０の固有の情報として補正情報（ＣＣＤ１８Ｂの不良画素の位置情報）としたが、ＵＳＢＩＤ、ＩＥＥＥ１３９４ＩＤ、メディアＩＤであってよく、さらに別途個々のデジタルカメラ１０に対して識別情報を付与するようにしてもよい。
【００７８】
また、上記では電子透かし情報として著作権情報としたが、著作権情報に限らず、他の重要な情報であってもよい。
【００７９】
さらに、本実施の形態では、デジタルカメラ１０とＰＣ１２０とを直接ケーブル１５２（図３参照）によって接続したが、図６に示される如く、メモリカード５８をデジタルカメラ１０から取り外し、このメモリカード５８をＰＣ１２０に接続されたカードスロット１６６に装填するようにしてもよい。この場合、メモリカード５８内に暗号キーを記憶する領域を準備しておく必要がある。
【００８０】
【発明の効果】
以上説明した如く本発明では、撮像直後に画像データに電子透かし情報を埋め込み、かつ暗号化を施すことで、電子透かし情報に対して、読出し、改ざん等が行なえる余地を確実に排除することができ、かつ暗号化の作業を簡略化することができるという優れた効果を有する。
【図面の簡単な説明】
【図１】本実施の形態に係るデジタルカメラの制御ブロック図である。
【図２】（Ａ）はデジタルカメラの外観を背面側から見た斜視図、（Ｂ）は正面側から見た斜視図である。
【図３】本実施の形態に係るデジタルカメラとＰＣとの接続状態を示す概略図である。
【図４】本実施の形態に係る電子透かし情報付与部及び暗号化・復号化処理部の概略構成を示す機能ブロック図である。
【図５】ＰＣにおける暗号キーによる電子透かし情報複合化のための処理を示す制御フローチャートである。
【図６】変形例に係り、デジタルカメラからメモリカードを取り出して、ＰＣ側に装填する場合の概略図である。
【符号の説明】
１０    デジタルカメラ（撮像装置）
１６    バス
１８    撮像部
１８Ｂ    ＣＣＤ（撮像部）
２０    ＣＰＵ
２２    バッテリ
２６    不揮発性メモリ
３８    ＬＣＤ（表示装置）
１２０    ＰＣ（外部制御装置）
１５０    暗号化・符号化処理部
１５１    電子透かし情報付与部
１５４    画像データ入出力部
１５６    画像データ状態判別部
１５８    暗号化部
１６０    暗号化メモリ（記憶手段）
１６２    復号化部
１６４    暗号キー読出部（送出手段）
１７０    画像データ入出力部
１７２    電子透かし埋め込み部
１７４    著作権情報メモリ
【図１】
0003964732.tif 000002
【図２】
0003964732.tif 000003
【図３】
0003964732.tif 000004
【図４】
0003964732.tif 000005
【図５】
0003964732.tif 000006
【図６】
0003964732.tif 000007